(57)【要約】      （修正有）【課題】下足を保持する部分の形状、寸法、及び位置を、内部空間に対して相対的に定義することで、奥行の低減効果を確実に得られる下足入れを提供する。【解決手段】従来の下足入れより１５０〜１７０ｍｍ薄い奥行にて複数の下足を好適に収納することができる。そして、下足保持部４が、最下端に下足保持角部４３を有するように略Ｌ字型に形成され、背面壁１から２７〜４７ｍｍかつ開口扉３から６５〜８５ｍｍ離れて配置され、下足保持部４の奥行が１１８〜１３８ｍｍ、下足保持部４の底に該当する第二板材表面部４２の短手方向の長さが４０〜６０ｍｍであることにより、背面壁１や開口扉３に触れず落下や位置ずれしないように下足保持部４に確実に保持された状態で下足を収納するよう設けられている。【選択図】図２
2020195469.tif 000002
【特許請求の範囲】
【請求項１】
使用時において最奥に位置する背面壁と、当該背面壁の左右に位置する側壁と、当該背面壁と対向する位置かつ当該側壁の各々の先端部分に取り付けられた開口扉とで形成された箱型の下足入れであって、
内部に下足を斜めに保持するように設けられた下足保持部を備え、
前記下足保持部は、第一板材と、当該第一板材より短手方向の長さが短い第二板材との組み合わせで略Ｌ字型に形成され、当該第一板材及び当該第二板材の接点かつ最下端に位置する下足保持角部を有し、
前記第一板材は、前記下足保持部の最上端に位置する第一板材上端部と、前記下足保持角部を形成する第一板材下端部と、前記開口扉側を向いている第一板材表面部とを有し、
前記第二板材は、第二板材上端部と、前記下足保持角部を形成する第二板材下端部と、前記背面壁側を向いている第二板材表面部とを有する
ことを特徴とする下足入れ。
【請求項２】
垂直方向に対する前記第一板材表面部の角度は、１９〜３９°で、
前記第一板材表面部と前記第二板材表面部とでなす角度は、９０〜１１０°である
ことを特徴とする請求項１に記載の下足入れ。
【請求項３】
前記側壁の一方から他方に渡って、前記背面壁側に位置して着脱自在に取り付けられた第一棒材及び当該第一棒材より低く前記開口扉側に位置して着脱自在に取り付けられた第二棒材をさらに備え、
前記下足保持部が、前記第一棒材に対して前記第一板材上端部、前記第二棒材に対して前記第二板材上端部をそれぞれ引っ掛けた状態で着脱自在に取り付けられており、
前記第一棒材及び前記第二棒材の移動範囲が、垂直方向かつ上方向及び／又は下方向に２２〜４２ｍｍである
ことを特徴とする請求項１又は２に記載の下足入れ。
【発明の詳細な説明】
【技術分野】
【０００１】
本発明は、例えば集合住宅の各居室の玄関に設置する下足入れに関する。
【背景技術】
【０００２】
従来から、集合住宅等の一般住宅では、玄関に常設の下足入れに下足を収納していた。下足入れとしては、上下方向に設けられた棚板で、複数の下足を保持するものであった。しかしながら、棚板により内部が暗くなり下足が見えにくいばかりでなく、内部の通気性が悪く、湿気や悪臭がこもりやすいため、下足にカビや雑菌が繁殖してしまう問題があった。
【０００３】
そこで、複数のシャフトを組み合わせた棚部材を形成することで、下足を引っ掛けたり載置したりできるのみならず、内部が見えやすく通気性が高まるシューズラックが開示されている（特許文献１参照。）。また、上記棚部材の角度が変更自在な構造であることから、下足の形状や使用者の好みに合わせて収納することができる。
【先行技術文献】
【特許文献】
【０００４】
【特許文献１】特開２０１８−２７１６７号公報
【発明の概要】
【発明が解決しようとする課題】
【０００５】
近年では、集合住宅の各居室の面積縮小による間口の狭小化に伴い、隣接する部屋の一部を切り欠いて形成したスペースに奥行４００ｍｍの下足入れを配置している。すなわち、下足入れのスペースが、上記部屋の形状を歪にしてしまうため、部屋の商品価値を低下させる問題が生じるおそれがある。しかしながら、特許文献１では、下足入れの奥行に関する定義が詳細になされておらず、上記棚部材による奥行の低減効果が不明であることから、上記問題を解決するには至らない。
【０００６】
そこで、本発明の目的は、下足を保持する部分の形状、寸法、及び位置を、内部空間に対して相対的に定義することで、奥行の低減効果を確実に得られる下足入れを提供することにある。
【課題を解決するための手段】
【０００７】
すなわち、本発明における下足入れは、使用時において最奥に位置する背面壁と、上記背面壁の左右に位置する側壁と、上記背面壁と対向する位置かつ上記側壁の各々の先端部分に取り付けられた開口扉とで形成された箱型の下足入れであって、内部に下足を斜めに保持するように設けられた下足保持部を備え、上記下足保持部は、第一板材と、上記第一板材より短手方向の長さが短い第二板材との組み合わせで略Ｌ字型に形成され、上記第一板材及び上記第二板材の接点かつ最下端に位置する下足保持角部を有し、上記第一板材は、上記下足保持部の最上端に位置する第一板材上端部と、上記下足保持角部を形成する第一板材下端部と、上記開口扉側を向いている第一板材表面部とを有し、上記第二板材は、第二板材上端部と、上記下足保持角部を形成する第二板材下端部と、上記背面壁側を向いている第二板材表面部とを有することを特徴としている。
さらに、上記第一板材上端部と上記背面壁との間隔は、２７〜４７ｍｍで、上記第二板材上端部と上記開口扉との間隔は、６５〜８５ｍｍで、上記第一板材上端部と上記第二板材上端部との間隔は、１１８〜１３８ｍｍで、上記第二板材表面部の短手方向の長さは、４０〜６０ｍｍであることが望ましい。
【０００８】
さらに、垂直方向に対する上記第一板材表面部の角度は、１９〜３９°で、上記第一板材表面部と上記第二板材表面部とでなす角度は、９０〜１１０°であることが望ましい。
【０００９】
また、上記側壁の一方から他方に渡って、上記背面壁側に位置して着脱自在に取り付けられた第一棒材及び上記第一棒材より低く上記開口扉側に位置して着脱自在に取り付けられた第二棒材をさらに備え、上記下足保持部が、上記第一棒材に対して上記第一板材上端部、上記第二棒材に対して上記第二板材上端部をそれぞれ引っ掛けた状態で着脱自在に取り付けられており、上記第一棒材及び上記第二棒材の移動範囲が、垂直方向かつ上方向及び／又は下方向に２２〜４２ｍｍであることが望ましい。
【発明の効果】
【００１０】
本発明における下足入れによれば、従来の下足入れより１５０〜１７０ｍｍ薄い奥行にて複数の下足を好適に収納することができる。
そして、下足保持部が、最下端に下足保持角部を有するように略Ｌ字型に形成され、背面壁から２７〜４７ｍｍかつ開口扉から６５〜８５ｍｍ離れて配置され、下足保持部の奥行が１１８〜１３８ｍｍ、下足保持部の底に該当する第二板材表面部の短手方向の長さが４０〜６０ｍｍであることにより、背面壁や開口扉に触れず落下や位置ずれしないように下足保持部に確実に保持された状態で下足を収納することができる。
【図面の簡単な説明】
【００１１】
【図１】本発明の一実施形態における下足入れの（ａ）正面概念図、（ｂ）上記正面概念図のＡ−Ａ断面概念図である。
【図２】図１（ｂ）の部分拡大図である。
【図３】図１（ｂ）の別の部分拡大図である。
【発明を実施するための形態】
【００１２】
以下、図１〜図３を参照しつつ、本発明の一実施形態における下足入れの構造及び使用方法について説明する。
これらの図において、複数個存在する同一の部位については、一つの部位のみに符番した部分もある。説明の便宜上、所定の部位やこの引き出し線をかくれ線（破線）や想像線（二点鎖線）で示し、断面部分をハッチングで示した部分もある。
説明において、上方、下方、側方、垂直方向、水平方向等の方向を示す用語は、基本的に、通常使用する向きで下足入れを設置した状態における位置関係とする。
【００１３】
図１に示すとおり、下足入れＳは、一般的な住宅の玄関に設置し、内部に個々の下足を収納する箱型のものである。
なお、下足入れＳの高さ及び横幅に限定はなく、玄関への設置に影響しない限り、いずれでもよい。
【００１４】
図１に示すとおり、下足入れＳは、符番しない住宅の玄関の壁に面し、使用時において最奥に位置する背面壁１と、背面壁１の左右に位置する側壁２，２と、背面壁２と対向する位置かつ側壁２，２の各々の先端部分に取り付けられた開口扉３，１０３とで形成されている。下足入れＳは、内部に下足を斜めに保持するように設けられた下足保持部４，１０４を備えている。
なお、背面壁１、側壁２，２、及び開口扉３の厚みは、同じでも異なっていてもよい。開口扉３は、例えば、片方又は両方の開き戸式・引き戸式・折れ戸式であり、下足の出し入れに影響しない限り、いずれでもよい。下足保持部４は、下足保持部１０４より下側に配置されてもよく、限定はない。
【００１５】
まず、下足保持部４について説明する。
図１及び図２に示すとおり、下足保持部４は、側壁２，２の一方から他方に渡って設けられており、下足を斜めに立て掛ける第一板材４１と、第一板材４１より低い位置にあり第一板材４１より短手方向の長さが短い第二板材４２との組み合わせで略Ｌ字型に形成され、第一板材４１及び第二板材４２の接点かつ最下端に位置する下足保持角部４３を有する。
なお、下足保持部４の数に限定はなく、下足の収納に影響しない限り、いくつでもよい。
【００１６】
図２に示すとおり、第一板材４１は、下足保持部４の最上端に位置する直線状の第一板材上端部４１ａと、下足保持角部４３を形成する直線状の第一板材下端部４１ｂと、開口扉３側を向いている平坦状の第一板材表面部４１ｃとを有する。
第二板材４２は、直線状の第二板材上端部４２ａと、下足保持角部４３を形成する直線状の第二板材下端部４２ｂと、背面壁１側を向いている平坦状の第二板材表面部４２ｃとを有する。
なお、下足保持部４の形成及び下足入れＳに対する配置に影響しない限り、第一板材上端部４１ａ、第一板材下端部４１ｂ、第二板材上端部４２ａ、及び第二板材下端部４２ｂは、例えば、湾曲状でも凸凹状でもよく、第一板材表面部４１ｃ及び第二板材表面部４２ｃは、例えば、曲面状でも凸凹状でもよい。
【００１７】
第一板材上端部４１ａと背面壁１との間隔ｗ１は２７〜４７ｍｍで、２７ｍｍより狭いと収納時に下足の一部が背面壁１に接して位置ずれしやすいおそれがあり、４７ｍｍより広いと背面壁１側に生じる余剰スペースにより下足入れＳの奥行が増加するおそれがあるため、好ましくは３２〜４２ｍｍ、より好ましくは３５〜３９ｍｍ、最適値としては３７ｍｍである。
【００１８】
第二板材上端部４２ａと開口扉３との間隔ｗ２は６５〜８５ｍｍで、６５ｍｍより狭いと収納時に下足の一部が開口扉３に接して閉まらないおそれがあり、８５ｍｍより広いと開口扉３側に生じる余剰スペースにより下足入れＳの奥行が増加するおそれがあるため、好ましくは７０〜８０ｍｍ、より好ましくは７３〜７７ｍｍ、最適値としては７５ｍｍである。
【００１９】
第一板材上端部４１ａと第二板材上端部４２ａとの間隔ｗ３は１１８〜１３８ｍｍで、１１８ｍｍより狭いと下足保持部４の傾きが急過ぎて収納時に下足が滑り落ちるおそれがあり、１３８ｍｍより広いと下足保持部４の傾きが緩やか過ぎて下足入れＳの奥行が増加するおそれがあるため、好ましくは１２３〜１３３ｍｍ、より好ましくは１２６〜１３０ｍｍ、最適値としては１２８ｍｍである。
【００２０】
第二板材表面部４２ｃの短手方向の長さｗ４は４０〜６０ｍｍで、４０ｍｍより短いと下足の一部が納まらずはみ出てしまうおそれがあり、６０ｍｍより長いと下足の一部が接することで収納時の安定性がかえって悪化するおそれがあるため、好ましくは４５〜５５ｍｍ、より好ましくは４７〜５３ｍｍ、最適値としては５０ｍｍである。
第一板材表面部４１ｃの短手方向の長さｗ５は１６３〜１８３ｍｍで、１６３ｍｍより短いと下足を支え切れなかったり背面壁１又は開口扉３に下足の一部が接したりするおそれがあり、１８３ｍｍより長いと上下の下足保持部４との間隔が狭くなり下足を出し入れしにくくなるおそれがあるため、好ましくは１６８〜１７８ｍｍ、より好ましくは１７０〜１７５ｍｍ、最適値としては１７３ｍｍである。
【００２１】
垂直方向に対する第一板材表面部の角度ｄ１は１９〜３９°で、１９°より急だと収納時に下足が倒れてしまうおそれがあり、３９°より緩やかだと収納時に下足が寝そべってしまい下足入れＳの奥行が増加するおそれがあるため、好ましくは２４〜３４°、より好ましくは２７〜３１°、最適値としては２９°である。
第一板材表面部４１ｃと第二板材表面部４２ｃとでなす角度ｄ２は９０〜１１０°であり、９０°より緩やかだと収納時に下足の一部が第二板材表面部４２ｃからはみ出てしまい位置ずれにより落下するおそれがあり、１１０°より急だと下足保持角部４３に下足の一部が納まり切らず位置ずれにより落下するおそれがあるため、好ましくは９５〜１０５°、より好ましくは９８〜１０２°、最適値としては１００°である。
また、上記角度ｄ１及び上記角度ｄ２が上記範囲外だと、上記間隔ｗ１〜ｗ３及び上記長さｗ４・ｗ５も上記範囲外になってしまうおそれがある。
【００２２】
図１及び図２に示すとおり、下足入れＳは、側壁２，２の一方から他方に渡って、背面壁１側に位置して着脱自在に取り付けられた第一棒材５及び第一棒材５より低く開口扉３側に位置して着脱自在に取り付けられた第二棒材６をさらに備えている。詳細には、側壁２，２は、同一の高さに位置して対向する穴を複数有し、第一棒材５及び第二棒材６は、各々の両端を穴に挿し込んだ状態で取り付けられる。
下足保持部４が、第一棒材５に対してフック状の第一板材上端部４１ａ、第二棒材６に対してフック状の第二板材上端部４２ａをそれぞれ引っ掛けた状態で着脱自在に取り付けられている。なお、下足保持部４が、同一高さの位置に対向する穴に設けられたダボに引っ掛けられていてもよい。
第一棒材５及び第二棒材６の移動範囲ｗ５が、垂直方向かつ上方向及び／又は下方向に２２〜４２ｍｍであり、２２ｍｍより狭いと移動前後で高さが略同等であるためサイズの異なる下足を収納しにくいおそれがあり、４２ｍｍより広いと移動前後で高さが変わり過ぎて余剰スペースが生じてしまうおそれがあるため、好ましくは２７〜３７ｍｍ、より好ましくは３０〜３４ｍｍ、最適値としては３２ｍｍである。
第一棒材５の移動範囲が、第二棒材６を中心とし、第一棒材５と第二棒材６との距離を半径Ｒとする円弧上であることにより、第一棒材５のみの移動に伴い第一板材４１が急勾配になり第一板材上端部４１ａが背面壁１から間隔ｗ１ｂ分遠のくため、大きめの靴の収納時につま先が背面壁１に接することを回避することができる。換言すれば、第一棒材５が挿し込まれる第一の穴に対し、上記円弧上に位置する第二の穴は、上記円弧上であり、上記第一の穴より背面壁１から遠く、かつ上方に位置している。この場合、間隔ｗ１ｂは４７ｍｍより狭く、角度ｄ１は１９°より緩やかにするのが好ましい。
【００２３】
次に、下足保持部１０４について、下足保持部４と相違する点のみ説明し、下足保持部４と同等又は類似する点の説明は省略する。
図１及び図３に示すとおり、下足保持部１０４は、背面壁１側に位置して下足を斜めに立て掛ける第一板材１４１と、第一板材１４１より低い位置にあり第一板材１４１より短手方向の長さが短い第二板材１４２と、第二板材１４２より高い位置にあり開口扉１０３に接合された第三板材１４３との組み合わせで上側を開放した略箱型に形成されている。さらに、下足保持部１０４は、第一板材１４１と第三板材１４３との間に、内部を長手方向に略二等分して各々の空間に下足を斜めに収納するための仕切り板材１４４を有する。開口扉１０３は、下端を支軸にして回動するヒンジ式の開き戸であり、下足保持部１０４は、開口扉１０３の動作に追従する。
なお、仕切り板材１４４は、下足保持部１０４の内部を三等分以上にするように複数個あてもよい。
【００２４】
次に、図２及び図３を参照しつつ、下足入れＳの使用方法について説明する。
まず、図２に示すとおり、例えば、女性用のハイヒールの場合、第一板材上端部４１ａにかかと部分を引っ掛け、第一板材表面部４１ｃに裏部分の一部を載置すると、つま先部分が第二板材上端部４２ａを越えた状態で収納できる。一方、男性用の革靴の場合、下足保持角部４３に一致するように第二板材表面部４２ｃにかかと部分を載置し、第一板材表面部４１ｃに裏部分の一部を載置すると、つま先部分が第一板材上端部４１ａを越えた状態で保持できる。さらに、下足の種類に応じて、第一棒材５及び第二棒材６の高さを任意に変更できる。
また、図３に示すとおり、スニーカーの場合、開口扉１０３を開け、背面壁１側に甲部分が向き、第二板材表面部４２ｃにつま先部分が近接した状態で、仕切り板材１４４で等分された各々の空間に靴が刺さった状態で保持できる。
【符号の説明】
【００２５】
Ｓ            下足入れ
１            背面壁
２            側壁
３，１０３    開口扉
４，１０４    下足保持部
５            第一棒材
６            第二棒材
【図１】
2020195469.tif 000003
【図２】
2020195469.tif 000004
【図３】
2020195469.tif 000005